(57)【要約】【課題】横向き型発光LED光源を提供する。【解決手段】本考案の横向き型発光LED光源は、発光ダイオードパッケージと導光板からなる。発光ダイオードパッケージは、発光ダイオード、レンズからなり、前記レンズは、その前端表面に設置され、前記発光ダイオードからの光線を受光し、前記レンズは、前記発光ダイオードから受光した光線を、新たに導向し、前記レンズからの大部分の光線が、横向き周方向に向かいる。導光板の上に、容置空間を設置し、前記発光ダイオードパッケージを中に結合し、前記容置空間の両側の対応する箇所に、それぞれ、湾折部を設け、前記湾折部は、それぞれ、外側に延長して反射部を有し、前記各反射部末端は、投射部を形成し、光線をガイドし、両側の投射部から射出する。これにより、好ましい横向け光源を提供することができる。【選択図】  図  ２【実用新案登録請求の範囲】
【請求項１】
横向き型発光LED光源であって、前記横向き型発光LED光源は、
発光ダイオードとレンズからなり、該レンズが、該発光ダイオード前端表面に設置されて該発光ダイオードからの光線を受光して、前記レンズからの大部分の光線が、横向き周方向に向かうように屈折・ガイドする発光ダイオードパッケージと、
容置空間を設けて前記発光ダイオードパッケージをその中に配置し、前記容置空間の両側の対応する箇所に、それぞれ、光を反射する湾折部を設けると共に該湾折部は、それぞれ外側に延長された反射部を有して該各反射部末端は投射部を形成することにより、発光ダイオードからの光線が導光板両側の投射部から射出して横向き光源を構成する、
ことを特徴とする横向き型発光LED光源。
【請求項２】
前記導光板の湾折部は、挟角を形成し、前記挟角は９５度以下として、光線をガイドすることを特徴とする請求項１に記載の横向き型発光LED光源。
【請求項３】
前記発光ダイオード底部に設けられた回路板を備えることを特徴とする請求項１に記載の横向き型発光LED光源。
【請求項４】
前記導光板上の容置空間は、複数の発光ダイオードパッケージを中に配置したことを特徴とする請求項１に記載の横向き型発光LED光源。
【考案の詳細な説明】
【技術分野】
【０００１】
本考案は、横向き型発光LED光源に関するものであって、特に、発光ダイオード、レンズ、及び、導光板を互いに結合した構成により、発光ダイオードが発光する光線が、レンズを通過して新たにガイドされ、更に、導光板を経由してガイドされた光線が導光板両側の投射部から射出され、好適な横向け光源を構成することにより、売り場や各種広告板の照明・光源、及び液晶表示装置のバックライトなどに適用する。
【背景技術】
【０００２】
公知の発光ダイオードは、中華民国９１年４月３０日に申請された第０９１１０８９８３号特許案（図１及び図２を参照。）のように、発光ダイオードパッケージ１を設置し、発光ダイオードパッケージ１は、前端表面と後端表面とを備え、発光ダイオードパッケージ１は発光ダイオード２を有し、近似法で、垂直に、前端表面の第一方向に光線を発射し、パッケージを離れる。レンズ３は、延長してパッケージ前端表面から離れ、発光ダイオード２からの光線を受光する。レンズ３の形状は、第一方向の光線を含む発光ダイオード２から受光する光線を、新たに導向して、レンズ３からの大部分の光線は、発光ダイオードパッケージ１前端表面にほぼ水平である。しかし、発光ダイオードが発する光線は、レンズにより、新たに導向し、レンズからの大部分の光線は、発光ダイオードパッケージ前端表面にほぼ水平で、最後に発する光線は、レンズ周辺３６０度で射出し、両側の横向き光源に効果的に集中させることができない。故に、実際の使用上、使用者の要求に符合しない。
【特許文献１】特開2002-270902号公報
【考案の開示】
【考案が解決しようとする課題】
【０００３】
本考案は、横向き型発光LED光源光源を提供することを目的とし、発光ダイオード、レンズ、及び、導光板を互いに結合した構成により、発光ダイオードが発する光線が、レンズを通過してガイドされ、更に光線を導光板によりガイドして、導光板両側の投射部から射出することにより好適な光源を形成し、本考案は、好ましい横向き光源として実用性を向上する。
【課題を解決するための手段】
【０００４】
上述の目的を達成するため、本考案の横向き型発光LED光源は、発光ダイオードパッケージ及び導光板からなる。発光ダイオードパッケージは、発光ダイオード、レンズ、を含み、レンズは、発光ダイオードパッケージ前端表面に延長して、発光ダイオードからの光線を受光する。レンズは、発光ダイオードから受光した光線を新たに導向し、レンズからの大部分の光線は、発光ダイオードパッケージの横向き周方向に向かいる。導光板上に、容置空間を設置し、発光ダイオードパッケージを中に結合し、容置空間の両側の対応する場所に、それぞれ、湾折部を設け、湾折部は、それぞれ、外側に延長して反射部を有し、各反射部末端は、投射部を形成し、光線をガイドし、両側の投射部から射出する。これにより、好ましい横向き光源を提供することができる。
【考案の効果】
【０００５】
好ましい横向き光源を提供することができる。
【考案を実施するための最良の形態】
【０００６】
図３〜図５は、本考案の横向き型発光LED光源を示す図で、本横向き型発光LED光源は、発光ダイオードパッケージ１０、導光板２０、回路板３０、からなる。
【０００７】
発光ダイオードパッケージ１０は、発光ダイオード１１、レンズ１２からなり、レンズ１２は、発光ダイオードパッケージ１０前端表面に設置され、発光ダイオード１１からの光線を受光する。レンズ１２は、発光ダイオード１１から受光した光線を、新たに導向し、レンズ１２からの大部分の光線が、発光ダイオードパッケージ１０の横向き周方向に向かいる。
【０００８】
導光板２０上に、容置空間２１を設けて発光ダイオードパッケージ１０をその中に収容し（導光板２０上の容置空間２１は、必要に応じて、複数の発光ダイオードパッケージ１０をその中に収容する）、容置空間２１の両側の対応する箇所に、それぞれ、湾折部２２を設け、湾折部２２は挟角を形成し（図５）、挟角は９５度以下で、光線をガイドする。各湾折部２２は、それぞれ、外側に延長して反射部２３を形成し、各反射部２３末端は、投射部２４を形成し、ガイドした光線を両側の投射部２４から射出する。
【０００９】
回路板３０は、発光ダイオード１１底部に設置される。
【００１０】
本考案の特徴は、上述のような構造により横向き型発光LED光源を構成し、図３〜図５のように、発光ダイオード１１、レンズ１２、及び導光板２０が互いに対応して結合する構成により、発光ダイオード１１から発する光線がレンズ１２を経てガイドされ、レンズ１２を経由する大部分の光線は、発光ダイオードパッケージ１０の横向き周方向に向かい、発光ダイオードパッケージ１０の横向き周方向に向けられた光線は、更に、導光板２０を経由し、各湾折部２２及び反射部２３の構成によりガイドされて、導光板両側の投射部２４から射出し、これにより好ましい横向き光源を提供して、実用性を向上する。
【００１１】
図６に示すとおり、本考案を適用することにより、発光ダイオードパッケージ１０と導光板２０を組み合わせて回路板３０上に設置し、バックライトパネル４０を配置して各導光板２０により、光線をガイドして、両側の投射部２４から射出し、好ましい横向き光源を提供することができる。
【００１２】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１３】
【図１】公知の実施例による断面図である。
【図２】公知の実施例による使用図である。
【図３】本考案の実施例による立体外観図である。
【図４】本考案の実施例による断面図である。
【図５】本考案の実施例による使用平面図である。
【図６】本考案の実施例による使用図である。
【符号の説明】
【００１４】
１…発光ダイオードパッケージ
２…発光ダイオード
３…レンズ
１０…発光ダイオードパッケージ
１１…発光ダイオード
１２…レンズ
２０…導光板
２１…容置空間
２２…湾折部
２３…反射部
２４…投射部
３０…回路板
４０…バックライトパネル
【図１】
0003107594.tif 000002
【図２】
0003107594.tif 000003
【図３】
0003107594.tif 000004
【図４】
0003107594.tif 000005
【図５】
0003107594.tif 000006
【図６】
0003107594.tif 000007